(57)【要約】  ノイズフィルタ（１）は、中心導体（２０）、少なくとも１つの外側導体、およびコア（１０）を備える。外側導体は筒状の形状を有し、中心導体（２０）が内部に挿通される。コア（１０）は、筒状の磁性体であって、中心導体（２０）および少なくとも１つの外側導体が内部に挿通される。中心導体（２０）と少なくとも１つの外側導体とは互いに絶縁される。中心導体（２０）および少なくとも１つの外側導体に、対称多相交流電流の各相の相電流が流れる。
2018179326.tif 000002
【特許請求の範囲】
【請求項１】
中心導体と、
筒状の形状を有し、前記中心導体が内部に挿通される、少なくとも１つの外側導体と、
筒状の磁性体であって、前記中心導体および前記少なくとも１つの外側導体が内部に挿通されるコアと、
を備え、
前記中心導体と前記少なくとも１つの外側導体とは互いに絶縁され、
前記中心導体および前記少なくとも１つの外側導体に、対称多相交流電流の相電流が流れる、
ノイズフィルタ。
【請求項２】
中心導体と、
筒状の形状を有し、前記中心導体が内部に挿通される、少なくとも１つの外側導体と、
筒状の磁性体であって、前記中心導体および前記少なくとも１つの外側導体が内部に挿通されるコアと、
を備え、
前記中心導体と前記少なくとも１つの外側導体とは互いに絶縁され、
前記中心導体および前記少なくとも１つの外側導体に、直流の往復電流が流れる、
ノイズフィルタ。
【請求項３】
前記コアの中心軸に直交する前記中心導体の断面の重心と、前記中心軸に直交する前記少なくとも１つの外側導体のそれぞれの断面の重心とは、一致するとみなせる請求項１または２に記載のノイズフィルタ。
【請求項４】
前記中心軸に直交する前記中心導体の断面の重心と、前記中心軸に直交する前記コアの断面の重心とは、一致するとみなせる請求項３に記載のノイズフィルタ。
【請求項５】
前記外側導体として、
前記中心導体が内部に挿通された第１の外側導体と、
前記第１の外側導体が内部に挿通される第２の外側導体と、を備え、
前記中心導体、前記第１の外側導体および前記第２の外側導体に、三相交流電流の各相の電流が流れる、
請求項１から４のいずれか１項に記載のノイズフィルタ。
【請求項６】
前記外側導体の少なくともいずれかは、複数の導線が編まれた編み線状導体である請求項１から５のいずれか１項に記載のノイズフィルタ。
【請求項７】
前記中心導体、および前記少なくとも１つの外側導体のそれぞれを流れる定常電流の振幅は閾値以上である請求項１から６のいずれか１項に記載のノイズフィルタ。
【請求項８】
前記コアの中心軸に直交する前記中心導体の断面の面積と、前記中心軸に直交する前記少なくとも１つの外側導体のそれぞれの断面の面積とは、一致するとみなせる請求項１から７のいずれか１項に記載のノイズフィルタ。
【請求項９】
前記中心導体の長手方向の長さは、前記少なくとも１つの外側導体のそれぞれの長手方向の長さより長い請求項１から８のいずれか１項に記載のノイズフィルタ。
【請求項１０】
複数の前記外側導体を備え、
前記コアの中心軸に直交する面における前記中心導体と前記外側導体との間隔が短くなるにつれて、前記外側導体の長手方向の長さは長くなる、
請求項１から９のいずれか１項に記載のノイズフィルタ。
【請求項１１】
前記中心導体の長手方向の長さは、前記外側導体よりも長い請求項１０に記載のノイズフィルタ。
【請求項１２】
入力された電力を変換して出力する電力変換部と、
前記電力変換部の入力側および出力側の少なくとも一方に設けられた、請求項１から１１のいずれか１項に記載のノイズフィルタと、
を備える電力変換装置。
【請求項１３】
前記電力変換部は、炭化ケイ素、窒化ガリウム系材料、またはダイヤモンドを用いたワイドバンドギャップ半導体によって形成されるスイッチング素子を備える請求項１２に記載の電力変換装置。
【発明の詳細な説明】
【技術分野】
【０００１】
この発明は、ノイズフィルタおよびノイズフィルタを備えた電力変換装置に関する。
【背景技術】
【０００２】
インバータ装置には、インバータから発生するノイズを低減させるＥＭＣ（Electro-Magnetic Compatibility）フィルタが設けられる。特許文献１に開示されるＥＭＣフィルターユニットにおいては、複数の環状のフェライトコアを有するリングコアに、各相のケーブルが巻き回されている。ケーブルに流れる高周波ノイズ電流により発生する磁界をフェライトコアが収束し、高周波損失によって、磁界を熱に変えることで、ノイズが減衰される。
【先行技術文献】
【特許文献】
【０００３】
【特許文献１】特許第５４９９７９５号公報
【発明の概要】
【発明が解決しようとする課題】
【０００４】
高周波ノイズ電流が導体を流れていなくても、導体の周囲には、定常電流による磁界が発生する。特許文献１に開示されるＥＭＣフィルターユニットにおいては、リングコアは、高周波ノイズ電流により発生する磁界だけでなく、定常電流による発生磁界も収束する。そのため、リングコアの磁気飽和が発生し、ノイズ除去の効率が低下することがある。【０００５】
本発明は上述の事情に鑑みてなされたものであり、ノイズ除去の効率を向上させることが目的である。
【課題を解決するための手段】
【０００６】
上記目的を達成するために、本発明のノイズフィルタは、中心導体、少なくとも１つの外側導体、およびコアを備える。該少なくとも１つの外側導体は、筒状の形状を有し、中心導体が内部に挿通される。コアは、筒状の磁性体であって、中心導体および該少なくとも１つの外側導体が内部に挿通される。中心導体と該少なくとも１つの外側導体とは互いに絶縁される。中心導体および該少なくとも１つの外側導体に、対称多相交流電流の相電流が流れる。
【発明の効果】
【０００７】
本発明によれば、ノイズフィルタが、筒状のコアの内部に挿通された筒状の少なくとも１つの外側導体および該少なくとも１つの外側導体の内部に挿通された中心導体を備えることで、ノイズ除去の効率を向上させることが可能である。
【図面の簡単な説明】
【０００８】
【図１】本発明の実施の形態１に係るノイズフィルタの断面図
【図２】従来のノイズフィルタの断面図
【図３】実施の形態１に係るノイズフィルタの側面図
【図４】実施の形態１に係る電力変換装置の構成例を示すブロック図
【図５】本発明の実施の形態２に係るノイズフィルタの断面図
【発明を実施するための形態】
【０００９】
以下、本発明の実施の形態について図面を参照して詳細に説明する。なお図中、同一または同等の部分には同一の符号を付す。
【００１０】
（実施の形態１）
図１は、本発明の実施の形態１に係るノイズフィルタの断面図である。実施の形態１に係るノイズフィルタ１には、対称多相交流電流または直流の往復電流が流れる。往復電流は、例えば、正極と負極である、直流電位において流れる電流である。ノイズフィルタ１は、中心導体２０、筒状の形状を有し、中心導体２０が内部に挿通される、少なくとも１つの外側導体、ならびに、筒状の磁性体であって、中心導体２０および少なくとも１つの外側導体が内部に挿通されるコア１０を備える。外側導体の数は、１以上の任意の値である。中心導体２０および少なくとも１つの外側導体とは互いに絶縁される。中心導体２０および少なくとも１つの外側導体には、対称多相交流電流の相電流または直流の往復電流が流れる。最も外側にある外側導体の外周側では、高周波ノイズ電流が流れていない状態である定常状態において、相電流によって発生する磁界の少なくとも一部が打ち消される。その結果、コア１０が定常状態において相電流によって発生する磁界を収束することによる、コア１０の磁気飽和を抑制し、ノイズ除去の効率を向上させることが可能である。
【００１１】
図１は、コア１０の中心軸に直交する断面での断面図である。図１の例では、ノイズフィルタ１は、外側導体として、第１の外側導体２１および第２の外側導体２２を備える。コア１０の内部に、中心導体２０、第１の外側導体２１、および第２の外側導体２２が挿通される。第１の外側導体２１および第２の外側導体２２は筒状の形状を有する。第１の外側導体２１の内部に中心導体２０が挿通される。第２の外側導体２２の内部に、中心導体２０が内部に挿通された第１の外側導体２１が挿通される。ノイズフィルタ１には、三相交流電流が流れる。中心導体２０、第１の外側導体２１、および第２の外側導体２２のそれぞれを、三相交流電流の相電流がコア１０の中心軸の方向に流れる。中心導体２０は、断面の大きさが限定されていて、一方向に伸びる形状を有する。図１の例では、中心導体２０は、内部が充填された棒状の導体である。中心導体２０の形状は、図１の例に限られず、例えば第１の外側導体２１および第２の外側導体２２と同様に、中空の筒状の形状でもよい。
【００１２】
中心導体２０の外周面は、絶縁部材３０で覆われる。第１の外側導体２１の外周面は、絶縁部材３１で覆われる。第２の外側導体２２の外周面は、絶縁部材３２で覆われる。絶縁部材３０，３１，３２は、例えば、絶縁性を有する熱収縮チューブである。絶縁部材３０の外周面と第１の外側導体２１の内周面との間には空隙４０が設けられる。絶縁部材３１の外周面と第２の外側導体２２の内周面との間には空隙４１が設けられる。および絶縁部材３２の外周面とコア１０の内周面との間には空隙４２が設けられる。空隙４０，４１，４２により、中心導体２０、第１の外側導体２１、および第２の外側導体２２を互いに絶縁することが可能であれば、絶縁部材３０，３１，３２を設ける必要はない。
【００１３】
コア１０の中心軸に直交する中心導体２０の断面の重心と、該中心軸に直交する少なくとも１つの外側導体のそれぞれの断面の重心との距離を十分に小さい値とすることで、中心導体２０の断面の重心と、少なくとも１つの外側導体のそれぞれの断面の重心とは一致するとみなせる。定常状態において、相電流の総和は０になる。中心導体２０の断面の重心と、少なくとも１つの外側導体のそれぞれの断面の重心とは一致するとみなせるため、最も外側にある外側導体の外周側では、定常状態において相電流によって発生する磁界が打ち消される。最も外側にある外側導体の外周側では、磁界が打ち消されるため、定常状態において、コア１０は磁界を収束しない。一方、例えば、高周波ノイズ電流であるコモンモードノイズが生じた場合、コア１０は、コモンモードノイズにより発生する磁界を収束し、高周波損失によって、磁界を熱に変えることで、ノイズが減衰される。ノイズフィルタ１によれば、コア１０が定常状態において相電流によって発生する磁界を収束することによる、コア１０の磁気飽和を抑制し、ノイズ除去の効率を向上させることが可能である。ノイズフィルタ１に往復電流が流れる場合も同様である。
【００１４】
図１の例では、コア１０の中心軸に直交する中心導体２０の断面の重心、該中心軸に直交する第１の外側導体２１の断面の重心、および該中心軸に直交する第２の外側導体２２の断面の重心は、互いに一致するとみなせる。第２の外側導体２２の外周側で、定常状態において、中心導体２０、第１の外側導体２１および第２の外側導体２２のそれぞれの相電流によって発生する磁界は、互いに打ち消される。
【００１５】
さらにコア１０の中心軸に直交する中心導体２０の断面の重心と、該中心軸に直交するコア１０の断面の重心との距離を十分に小さい値とすることで、中心導体２０の断面の重心と、コア１０の断面の重心とは一致するとみなせる。また上述のように、中心導体２０の断面の重心と、少なくとも１つの外側導体のそれぞれの断面の重心との距離を十分に小さい値とすることで、中心導体２０の断面の重心、第１の外側導体２１の断面の重心、および第２の外側導体２２の断面の重心は、互いに一致するとみなせる。この構成により、高周波ノイズが流れた場合のノイズ除去の効率が向上する。
【００１６】
図２は、従来のノイズフィルタの断面図である。ノイズフィルタ６は、円柱状導体６１，６２，６３、および、筒状の磁性体であって、円柱状導体６１，６２，６３のそれぞれが内部に挿通されるコア６０を備える。円柱状導体６１，６２，６３の外周面はそれぞれ、絶縁部材７１，７２，７３で覆われている。コア６０の中心軸に直交する円柱状導体６１，６２，６３のそれぞれの断面の重心は一致しない。そのため、コア６０は、定常状態において、相電流によって発生する磁界を収束する。その結果、コア６０の磁気飽和が起こり得る。
【００１７】
実施の形態１に係るノイズフィルタ１は、ノイズフィルタ６と比べて、コア１０の磁気飽和が起こりにくく、ノイズ除去の効率が高い。また、ノイズフィルタ６の構成では、それぞれ断面が円である円柱状導体６１，６２，６３をコア６０の内部に挿通するため、コア６０の内部でデッドスペース６４が生じる。実施の形態１に係るノイズフィルタ１は、コア１０の内部に、筒状の外側導体および中心導体２０が挿通されるため、コア１０の内部にデッドスペースが生じない。コア１０，６０の中心軸に直交する断面の面積が等しい場合、コア１０の内径は、コア６０の内径より小さい。またコア１０の外径はコア６０の外径より小さい。すなわち、ノイズフィルタ１の中心軸に直交する断面の大きさは、ノイズフィルタ６の中心軸に直交する断面と比べて、小さい。
【００１８】
またコア１０の内径を小さくし、コア１０の外径をコア６０の外径と同程度に維持することで、コア１０の断面積をコア６０の断面積より大きくすることも可能である。コア１０の断面積をより大きくすることで、ノイズ除去の効率が向上し、コア１０における温度上昇を抑制することが可能である。またノイズフィルタ６においては、磁界の偏りを抑制するために、円柱状導体６１，６２，６３を撚る必要がある。一方、実施の形態１に係るノイズフィルタ１は、コア１０の内部に筒状の外側導体および中心導体２０が挿通されるため、中心導体２０および外側導体を撚る必要はない。円柱状導体６１，６２，６３を撚って挿通させたノイズフィルタ６と比べ、ノイズフィルタ１の場合は、曲げ加工が不要であるため、引き通しが容易である。
【００１９】
図３は、実施の形態１に係るノイズフィルタの側面図である。中心導体２０の両端に、端子５０が取り付けられる。第１の外側導体２１の両端に、端子５１が取り付けられる。第２の外側導体２２の両端に、端子５２が取り付けられる。図３では、中心導体２０、第１の外側導体２１、および第２の外側導体２２の一端に設けられる端子５０，５１，５２のみを示し、他端に設けられる端子５０，５１，５２の記載を省略する。端子５０，５１，５２は、例えば圧着端子である。
【００２０】
中心導体２０の長手方向の長さは、少なくとも１つの外側導体のそれぞれの長手方向の長さより長い。長手方向は、電流の流れる方向である。図３の例では、中心導体２０の長手方向の長さは、第１の外側導体２１および第２の外側導体２２のそれぞれの長手方向の長さより長い。ノイズフィルタ１が複数の外側導体を備える場合、コア１０の中心軸に直交する面における中心導体２０と外側導体との間隔が短くなるにつれて、外側導体の長手方向の長さは長くなる。図３の例では、第１の外側導体２１と中心導体２０との間隔は、第２の外側導体２２と中心導体２０との間隔より短い。したがって、第１の外側導体２１の長手方向の長さは、第２の外側導体２２の長手方向の長さより長い。言い換えると、図３の例では、コア１０の中心軸に近い導体ほど長手方向の長さは長い。
【００２１】
中心導体２０、第１の外側導体２１および第２の外側導体２２をコア１０の内部に挿通してから、端子５０，５１，５２を圧着してもよい。この場合、コア１０の内部に端子５０，５１，５２を通すスペースが必要ないため、コア１０の内径を小さくすることが可能である。言い換えると、コア１０の外部に端子を設けるため、コア１０の内径を小さくすることが可能である。上述したように、コア１０の内径を小さくすることでコア１０の外径も小さくできるため、ノイズフィルタ１の小型化が可能である。また、コア１０の内径を小さくすることで、ノイズ除去の効率の向上が可能である。また、導体２０，２１，２２をそれぞれ曲げ加工して、端子５０，５１，５２としてもよい。
【００２２】
図３の例では、ノイズフィルタ１は、中心軸の方向に並べられた複数のコア１０を備える。上述のように、コア１０のノイズ除去の効率を向上させることで、ノイズフィルタ１が備えるコア１０の数を減らすことが可能である。これにより、ノイズフィルタ１の長手方向の小型化が可能であり、長さ方向に制限のある場所でもノイズフィルタ１を設置することが可能である。
【００２３】
図４は、実施の形態１に係る電力変換装置の構成例を示すブロック図である。電力変換装置２は、入力された電力を変換して出力する電力変換部３、および電力変換部３の入力側および出力側の少なくとも一方に設けられたノイズフィルタ１を備える。図４の例では、電力変換部３の入力側および出力側にノイズフィルタ１が設けられているが、入力側および出力側のいずれかのみにノイズフィルタ１を設けてもよい。電力変換部３は、ケイ素に比べてバンドギャップが大きいワイドバンドギャップ半導体によって形成されるスイッチング素子を備えてもよい。ワイドバンドギャップ半導体とは、例えば、炭化ケイ素、窒化ガリウム系材料、ダイヤモンド等である。ワイドバンドギャップ半導体によって形成されたスイッチング素子を用いると、スイッチング速度が速くなるため、スイッチングノイズが増大する。実施の形態１に係るノイズフィルタ１を設けることで、ワイドバンドギャップ半導体によって形成されたスイッチング素子を用いた電力変換部３で生じるノイズを十分に除去することが可能である。
【００２４】
以上説明したとおり、本発明の実施の形態１に係るノイズフィルタ１によれば、ノイズフィルタ１が、筒状のコア１０の内部に挿通された筒状の少なくとも１つの外側導体および該少なくとも１つの外側導体の内部に挿通された中心導体２０を備えることで、ノイズ除去の効率を向上させることが可能である。
【００２５】
（実施の形態２）
図５は、本発明の実施の形態２に係るノイズフィルタの断面図である。実施の形態２に係るノイズフィルタ１において、中心導体２０および外側導体の少なくともいずれかは、複数の導線が編まれた編み線状導体である。図５の例では、実施の形態２に係るノイズフィルタ１は、外側導体として、第１の外側導体２３および第２の外側導体２４を備える。第１の外側導体２３は、複数の導線２５が編まれた編み線状導体である。また第２の外側導体２４は、複数の導線２６が編まれた編み線状導体である。なお中心導体２０を、複数の導体が編まれた編み線状導体としてもよい。編み線状導体を用いる場合、筒状の導体の場合のように、筒状の導体を互いに固定する製造工程が必要ないため、製造コストを低減することが可能である。
【００２６】
中心導体２０、第１の外側導体２３、および第２の外側導体２４のそれぞれを流れる定常電流の振幅は閾値以上である。閾値は、例えば１０Ａ以上である。１０Ａ以上の電流を流すことができるため、ノイズフィルタ１を、主回路のノイズ除去に用いることができる。
【００２７】
コア１０の中心軸に直交する中心導体２０の断面の面積と、該中心軸に直交する少なくとも１つの外側導体の断面の面積とは、同じ値でもよいし、異なる値でもよい。中心導体２０の断面の面積と、外側導体の断面の面積とを同じ値とすることで、中心導体２０における電流密度と外側導体における電流密度とを一致させることができる。
【００２８】
以上説明したとおり、本発明の実施の形態２に係るノイズフィルタ１によれば、筒状のコア１０の内部に挿通された筒状の少なくとも１つの外側導体および該少なくとも１つの外側導体の内部に挿通された中心導体２０を備えることで、ノイズ除去の効率を向上させることが可能である。また中心導体２０および該少なくとも１つの外側導体の少なくともいずれかを編み線状導体とすることで、製造コストを低減することが可能である。
【００２９】
本発明は、上述の実施の形態に限られない。コア１０の中心軸に直交する、中心導体２０、少なくとも１つの外側導体およびコア１０のそれぞれの断面の形状は、上述の例に限られず、多角形でもよい。
【００３０】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００３１】
１，６  ノイズフィルタ、２  電力変換装置、３  電力変換部、１０，６０  コア、２０  中心導体、２１，２３  第１の外側導体、２２，２４  第２の外側導体、２５，２６  導線、３０，３１，３２、７１，７２，７３  絶縁部材、４０，４１，４２  空隙、５０，５１，５２  端子、６１，６２，６３  円柱状導体、６４  デッドスペース。
【図１】
2018179326.tif 000003
【図２】
2018179326.tif 000004
【図３】
2018179326.tif 000005
【図４】
2018179326.tif 000006
【図５】
2018179326.tif 000007
【手続補正書】
【提出日】令和1年7月30日(2019.7.30)
【手続補正１】
【補正対象書類名】明細書
【補正対象項目名】０００６
【補正方法】変更
【補正の内容】
【０００６】
上記目的を達成するために、本発明のノイズフィルタは、中心導体、複数の外側導体、およびコアを備える。該複数の外側導体は、筒状の形状を有し、中心導体が内部に挿通される。コアは、筒状の磁性体であって、中心導体および該複数の外側導体が内部に挿通される。中心導体と該複数の外側導体とは互いに絶縁される。中心導体および該複数の外側導体に、対称多相交流電流の相電流が流れる。
【手続補正２】
【補正対象書類名】特許請求の範囲
【補正対象項目名】全文
【補正方法】変更
【補正の内容】
【特許請求の範囲】
【請求項１】
中心導体と、
筒状の形状を有し、前記中心導体が内部に挿通される複数の外側導体と、
筒状の磁性体であって、前記中心導体および前記複数の外側導体が内部に挿通されるコアと、
を備え、
前記中心導体と前記複数の外側導体とは互いに絶縁され、
前記中心導体および前記複数の外側導体に、対称多相交流電流の相電流が流れる、
ノイズフィルタ。
【請求項２】
中心導体と、
筒状の形状を有し、前記中心導体が内部に挿通される複数の外側導体と、
筒状の磁性体であって、前記中心導体および前記複数の外側導体が内部に挿通されるコアと、
を備え、
前記中心導体と前記複数の外側導体とは互いに絶縁され、
前記中心導体および前記複数の外側導体に、直流の往復電流が流れる、
ノイズフィルタ。
【請求項３】
前記コアの中心軸に直交する前記中心導体の断面の重心と、前記中心軸に直交する前記複数の外側導体のそれぞれの断面の重心とは、一致するとみなせる、
請求項１または２に記載のノイズフィルタ。
【請求項４】
前記中心軸に直交する前記中心導体の断面の重心と、前記中心軸に直交する前記コアの断面の重心とは、一致するとみなせる、
請求項３に記載のノイズフィルタ。
【請求項５】
前記複数の外側導体として、
前記中心導体が内部に挿通された第１の外側導体と、
前記第１の外側導体が内部に挿通される第２の外側導体と、を備え、
前記中心導体、前記第１の外側導体および前記第２の外側導体に、三相交流電流の各相の電流が流れる、
請求項１から４のいずれか１項に記載のノイズフィルタ。
【請求項６】
前記複数の外側導体の少なくともいずれかは、複数の導線が編まれた編み線状導体である請求項１から５のいずれか１項に記載のノイズフィルタ。
【請求項７】
前記中心導体、および前記複数の外側導体のそれぞれを流れる定常電流の振幅は閾値以上である、
請求項１から６のいずれか１項に記載のノイズフィルタ。
【請求項８】
前記コアの中心軸に直交する前記中心導体の断面の面積と、前記中心軸に直交する前記複数の外側導体のそれぞれの断面の面積とは、一致するとみなせる、
請求項１から７のいずれか１項に記載のノイズフィルタ。
【請求項９】
前記中心導体の長手方向の長さは、前記複数の外側導体のそれぞれの長手方向の長さより長い、
請求項１から８のいずれか１項に記載のノイズフィルタ。
【請求項１０】
前記コアの中心軸に直交する面における前記中心導体と前記外側導体との間隔が短くなるにつれて、前記外側導体の長手方向の長さは長くなる、
請求項１から９のいずれか１項に記載のノイズフィルタ。
【請求項１１】
入力された電力を変換して出力する電力変換部と、
前記電力変換部の入力側および出力側の少なくとも一方に設けられた、請求項１から１０のいずれか１項に記載のノイズフィルタと、
を備える電力変換装置。
【請求項１２】
前記電力変換部は、炭化ケイ素、窒化ガリウム系材料、またはダイヤモンドを用いたワイドバンドギャップ半導体によって形成されるスイッチング素子を備える、
請求項１１に記載の電力変換装置。
【手続補正書】
【提出日】令和1年10月25日(2019.10.25)
【手続補正１】
【補正対象書類名】明細書
【補正対象項目名】０００６
【補正方法】変更
【補正の内容】
【０００６】
上記目的を達成するために、本発明のノイズフィルタは、中心導体、複数の外側導体、および単一のコアを備える。該複数の外側導体は、筒状の形状を有し、中心導体が内部に挿通される。単一のコアは、筒状の磁性体であって、中心導体および該複数の外側導体が内部に挿通される。中心導体と該複数の外側導体とは互いに絶縁される。中心導体および該複数の外側導体に、対称多相交流電流の相電流が流れる。
【手続補正２】
【補正対象書類名】特許請求の範囲
【補正対象項目名】全文
【補正方法】変更
【補正の内容】
【特許請求の範囲】
【請求項１】
中心導体と、
筒状の形状を有し、前記中心導体が内部に挿通される複数の外側導体と、
筒状の磁性体であって、前記中心導体および前記複数の外側導体が内部に挿通される単一のコアと、
を備え、
前記中心導体と前記複数の外側導体とは互いに絶縁され、
前記中心導体および前記複数の外側導体に、対称多相交流電流の相電流が流れる、
ノイズフィルタ。
【請求項２】
中心導体と、
筒状の形状を有し、前記中心導体が内部に挿通される複数の外側導体と、
筒状の磁性体であって、前記中心導体および前記複数の外側導体が内部に挿通される単一のコアと、
を備え、
前記中心導体と前記複数の外側導体とは互いに絶縁され、
前記中心導体および前記複数の外側導体に、直流の往復電流が流れる、
ノイズフィルタ。
【請求項３】
前記単一のコアの中心軸に直交する前記中心導体の断面の重心と、前記中心軸に直交する前記複数の外側導体のそれぞれの断面の重心とは、一致するとみなせる、
請求項１または２に記載のノイズフィルタ。
【請求項４】
前記中心軸に直交する前記中心導体の断面の重心と、前記中心軸に直交する前記単一のコアの断面の重心とは、一致するとみなせる、
請求項３に記載のノイズフィルタ。
【請求項５】
前記複数の外側導体として、
前記中心導体が内部に挿通された第１の外側導体と、
前記第１の外側導体が内部に挿通される第２の外側導体と、を備え、
前記中心導体、前記第１の外側導体および前記第２の外側導体に、三相交流電流の各相の電流が流れる、
請求項１から４のいずれか１項に記載のノイズフィルタ。
【請求項６】
前記複数の外側導体の少なくともいずれかは、複数の導線が編まれた編み線状導体である請求項１から５のいずれか１項に記載のノイズフィルタ。
【請求項７】
前記中心導体、および前記複数の外側導体のそれぞれを流れる定常電流の振幅は閾値以上である、
請求項１から６のいずれか１項に記載のノイズフィルタ。
【請求項８】
前記単一のコアの中心軸に直交する前記中心導体の断面の面積と、前記中心軸に直交する前記複数の外側導体のそれぞれの断面の面積とは、一致するとみなせる、
請求項１から７のいずれか１項に記載のノイズフィルタ。
【請求項９】
前記中心導体の長手方向の長さは、前記複数の外側導体のそれぞれの長手方向の長さより長い、
請求項１から８のいずれか１項に記載のノイズフィルタ。
【請求項１０】
前記単一のコアの中心軸に直交する面における前記中心導体と前記外側導体との間隔が短くなるにつれて、前記外側導体の長手方向の長さは長くなる、
請求項１から９のいずれか１項に記載のノイズフィルタ。
【請求項１１】
入力された電力を変換して出力する電力変換部と、
前記電力変換部の入力側および出力側の少なくとも一方に設けられた、請求項１から１０のいずれか１項に記載のノイズフィルタと、
を備える電力変換装置。
【請求項１２】
前記電力変換部は、炭化ケイ素、窒化ガリウム系材料、またはダイヤモンドを用いたワイドバンドギャップ半導体によって形成されるスイッチング素子を備える、
請求項１１に記載の電力変換装置。
【国際調査報告】
2018179326.tif 000008
2018179326.tif 000009
2018179326.tif 000010
2018179326.tif 000011